(57)【要約】      （修正有）【課題】遠隔通信監視システムで制御を行わない簡易なスタンドアロン無線中継装置に対して、イベント発生時に遠隔で制御を行う。【解決手段】制御情報取得部１６は、基地局から送信される下り信号から無線中継装置のブロードキャスト・ショートメッセージサービス（ＢＣＳＭＳ）を用いて通知される制御情報を取得する。制御判定部１７は、制御情報取得部１６により取得したＢＣＳＭＳ制御情報と保持している参照用情報とを照合する。中継装置制御部１８は、照合結果が一致する場合、制御回路部１９の下り信号のチャネル及び動作を制御し、制御回路部２０の上り信号のチャネル及び動作を制御する。また、表示部２１に制御する内容を送信して当該無線中継装置が制御されていることをユーザに知らせる。【選択図】図１
2014082690.tif 000002
【特許請求の範囲】
【請求項１】
移動体通信の基地局と端末との間で無線信号を中継する無線中継装置であって、
前記基地局から送信される第１信号から第１メッセージを取得する情報取得部と、
参照用情報を予め保持し、前記参照用情報と前記第１メッセージとの照合をする判定部と、
前記制御判定部が前記照合で一致と判定する場合に、前記基地局から続いて送信される第２信号を受信し、前記第２信号に含まれる第２メッセージに基づいて信号チャネルを制御する制御部とを有する無線中継装置。
【請求項２】
前記第１メッセージ及び前記第２メッセージは、Ｐａｇｉｎｇ  ＣｈａｎｎｅｌのブロードキャストＳＭＳ領域にのせられるメッセージであることを特徴とする請求項１に記載の無線中継装置。
【請求項３】
前記第２メッセージは、前記信号チャネルのオンオフ切替指令を含むことを特徴とする請求項１に記載の無線中継装置。
【請求項４】
前記参照用情報は、エリア情報、前記無線中継装置の管理情報、前記基地局のＩＤの少なくともいずれかを含み、前記第１メッセージ及び前記第２メッセージは、エリア情報、前記基地局のＩＤ、前記無線中継装置の管理情報の少なくともいずれかを含むことを特徴とする請求項１に記載の無線中継装置。
【請求項５】
前記第２メッセージに従った制御の結果についてディスプレイする表示部をさらに有することを特徴とする請求項１に記載の無線中継装置。
【発明の詳細な説明】
【技術分野】
【０００１】
遠隔通信監視システムでの制御が不要なスタンドアロンの無線中継装置の中継機能の遠隔制御に関する。
【背景技術】
【０００２】
遠隔通信監視システムで制御を行わない簡易なスタンドアロン無線中継装置では、基地局から移動局へ送信される制御チャネル情報の中の識別情報を用いて無線中継機能および無線中継チャネルのオン・オフを行う。その方法の一つとして、あらかじめ指定され装置に記憶された識別情報の信号のみを中継し、それ以外は遮断するという方法がある（例えば特許文献１）。
【先行技術文献】
【特許文献】
【０００３】
【特許文献１】特開2010-273318
【発明の概要】
【発明が解決しようとする課題】
【０００４】
従来のスタンドアロンの無線中継装置では、あらかじめ指定した識別情報の信号のみを中継するという方法を取っている。しかしながら、通信事業者においては、地震・台風・洪水などの自然災害時、あるいは年末年始、あるいはイベント時などにおいて一時的に特定エリアの特定チャネルをオン・オフしたいという要求がある。       
またその際に、無線中継装置を設置している個宅や事業所等のエンドユーザに対する通知の需要があるが、従来の方式では対応できない。
【０００５】
従って、スタンドアロンの無線中継装置では、遠隔通信監視システムを用いずに、特定時において特定エリアの特定チャネルをオン・オフ制御し、さらにその旨をエンドユーザにその動作を通知することが課題となる。
【課題を解決するための手段】
【０００６】
本発明による無線中継装置は一例として、移動体通信の基地局と端末との間で無線信号を中継する無線中継装置であって、前記基地局から送信される第１信号から第１メッセージを取得する情報取得部と、参照用情報を予め保持し、前記参照用情報と前記第１メッセージとの照合をする判定部と、前記制御判定部が前記照合で一致と判定する場合に、前記基地局から続いて送信される第２信号を受信し、前記第２信号に含まれる第２メッセージに基づいて信号チャネルを制御する制御部とを有する。
【発明の効果】
【０００７】
遠隔監視システムにサポートされないスタンドアロン型の無線中継装置において、通信事業者による無線中継装置の制御が可能となり、無線リソースの効率的利用による管理パフォーマンスの向上が実現できる。
【図面の簡単な説明】
【０００８】
【図１】無線中継装置の構成図である。
【図２】基地局から送出されるブロードキャストＳＭＳの一例とメッセージを受信した中継装置の動作方法を示した説明図である。
【図３】動作例を示した説明図である。
【図４】表示部の一例を示した説明図である。
【図５】無線中継装置の動作フローの例の説明図である。
【発明を実施するための形態】
【０００９】
本実施の形態にかかる無線中継装置はＷ−ＣＤＭＡおよびＣＤＭＡ方式の無線通信システムにおいて、基地局（ＢＳ）と端末（ＭＳ）の間で信号の中継を行う装置であって、遠隔通信監視システムでの制御を行わないスタンドアロン型装置に対して、既に実用化されているブロードキャストＳＭＳ（ショートメッセージサービス）を用いて無線中継装置の制御を行うものである。すなわち、モデムなどの遠隔通信監視を用いずにスタンドアロンの無線中継装置を制御する方法として、ブロードキャストＳＭＳ（ショートメッセージサービス）を用いる。例えば、既にあるシステムとして携帯電話による緊急地震速報があるが、これはブロードキャストＳＭＳを用いて通知されている。無線中継装置がこのブロードキャストＳＭＳを受信したときに、一時的に全チャネルをオンにするという方法を適用することで、災害による通話エリア縮小を避け、極力通話エリアを拡大することが可能となる。
【００１０】
追加的に、災害時のみならず、通信事業者の指定する任意の時間に任意のエリアについて、任意のチャネルをオン・オフする方法をブロードキャストＳＭＳにより実現する。ブロードキャストＳＭＳの空き領域に、エリア情報、基地局ID情報、無線中継装置管理情報の少なくともいずれかと、チャネルオンオフ情報を付加する。それにより、特定のエリアもしくは特定の基地局、さらには特定の無線中継装置について、チャネルをオンオフすることが可能になる。
【００１１】
さらには、追加的に、そのオンオフしているという旨を無線中継装置の液晶パネルに表示してもよい。エンドユーザはそれにより明示的に、災害が起きていること、あるいはイベントが起きていること、その他の事情により当該無線中継装置がその時間において通信事業者により制御されていることが分かる。副次的な効果として、災害の通知、イベントの通知が可能となる。さらに副次的な方法として、広告情報をブロードキャストＳＭＳに乗せ、それを特定エリアの無線中継装置に表示させることで一般ユーザに特定エリアの広告情報を通知してもよい。
【００１２】
無線中継装置の構成を図１に示す。無線中継装置は基地局の送信信号をアンテナ１０で受信し、増幅器１４によって増幅された受信信号をアンテナ１２に送出する。一方、端末（ＭＳ）の送信信号をアンテナ１２で受信し、増幅器１５によって増幅された受信信号をアンテナ１２に送出する。
【００１３】
図１において、基地局側アンテナ１０は、基地局から送信される信号の受信と、基地局へ信号を送信するアンテナである。デュプレクサ１１は基地局側アンテナ１０を送信および受信で共用できるように設けられている。端末側アンテナ１２は、端末から送信される信号の受信と、端末へ信号を送信するアンテナである。デュプレクサ１３は端末側アンテナ１２を送信および受信で共用できるように設けられている。
【００１４】
増幅器１４は、デュプレクサ１１から入力される入力信号の電力を増幅して出力する。増幅器１５は、デュプレクサ１３から入力される入力信号の電力を増幅して出力する。
【００１５】
制御情報取得部１６は、基地局から送信される下り信号から当該無線中継装置のＢＣＳＭＳ制御情報２３を取得する。ＢＣＳＭＳ制御情報２３とは、後述する図２のとおり、無線中継装置を制御するために基地局から送信される信号で、Ｐａｇｉｎｇ  Ｃｈａｎｎｅｌ（ＰＣＨ）２２２の中のブロードキャストＳＭＳ（ＢＣＳＭＳ）領域に載せられた無線中継装置を制御するためのメッセージを指し、具体的には、ＢＣＳＭＳ開始メッセージ２３１、ＢＣＳＭＳ識別メッセージ２３２、ＢＣＳＭＳ制御メッセージ２３３から成る。ＢＣＳＭＳ制御情報２３は、エリア情報、基地局ID情報、無線中継装置管理情報（Ｓｅｒｉａｌ  Ｎｕｍｂｅｒなど）、チャネルオンオフ情報の少なくともいずれかを含む。制御情報取得部１６は、当該領域から取得した制御情報を制御判定部１７に送信する。
【００１６】
制御判定部１７は、制御情報取得部１６により取得したＢＣＳＭＳ制御情報２３と保持している参照用情報と照らし合わせる。参照用情報とは、制御情報取得部１６により取得した制御情報が、当該無線中継装置へ制御するために送信された情報か否かを検証するための情報であって、エリア情報、無線中継装置のＳ／Ｎ（Ｓｅｒｉａｌ  Ｎｕｍｂｅｒ）などの管理情報、基地局ＩＤの少なくともいずれかがある。エリア情報及び無線中継装置のＳ／Ｎは無線中継装置に参照用情報として予め書き込んでおく。基地局ＩＤは設置された無線中継装置が電源ＯＮになったときに、周辺の基地局をサーチャして確認できた基地局ＩＤを自動で参照用情報に登録する。
【００１７】
中継装置制御部１８は、制御情報取得部１６により取得したＢＣＳＭＳ制御情報２３と参照用情報との照合結果に応じて、制御回路部１９および２０の動作を制御する。具体的には、制御情報取得１６により取得したＢＣＳＭＳ制御情報２３と参照用情報が一致する場合、中継装置制御部１８は、制御回路部１９の下り信号のチャネル及び動作を制御し、制御回路部２０の上り信号のチャネル及び動作を制御する。また、表示部２１に制御する内容を送信して当該無線中継装置が制御されていることをユーザに知らせる。
【００１８】
制御回路部１９は、増幅器１４と端末側アンテナ１２の配線上の間で下り入力信号の調整及び遮断、制御を行う。具体的には、通常動作においては、下り信号の利得調整及び事業者識別情報に基づいて入力信号の制御を行うが、中継装置制御部１８により送信されるＢＣＳＭＳ制御情報２３に従って下り信号を制御する。
【００１９】
制御回路部２０は、増幅器１５と基地局側アンテナ１０の配線上の間で上り入力信号の調整及び遮断、制御を行う。具体的には、通常動作においては、上り信号の利得調整及び事業者識別情報に基づいて入力信号の制御を行うが、中継装置制御部１８により送信されるＢＣＳＭＳ制御情報２３に従って上り信号を制御する。
【００２０】
表示部２１は、中継装置制御部１８により受信した内容をディスプレイする。具他的には、通常動作においては、当該無線中継装置の電波状況、受信レベル状況、中継するチャネル情報などを表示するが、中継装置制御部１８により送信されるＢＣＳＭＳ制御情報２３の内容をディスプレイする。
【００２１】
図２は、基地局から送出されるＢＣＳＭＳの一例とＢＣＳＭＳを受信した中継装置の動作方法を示した説明図である。なお、  図５に、無線中継装置の動作全体フローの例の説明図を示す。以下は、ＢＣＳＭＳを受信した中継装置の動作方法を中心とした説明である。
【００２２】
２２は、基地局２２１により送信されるＰＣＨ２２２（Ｐａｇｉｎｇ  Ｃｈａｎｎｅｌ）を示す。ＰＣＨ２２は、ＢＣＳＭＳ用として割り当てられた領域２２−１を含む。当該領域は、緊急地震速報等のイベント発生時に備えられており、通常空き領域のままである。基地局２２１はＢＣＳＭＳ領域に２２−１無線中継装置の制御情報を載せて送信する。具体的には、２３にＢＣＳＭＳメッセージである、ＢＣＳＭＳ開始メッセージ２３１、ＢＣＳＭＳ識別メッセージ２３２、ＢＣＳＭＳ制御メッセージ２３３を示す。まず、ＢＣＳＭＳ開始メッセージ２３１を送信して、次に無線中継装置への制御メッセージが送信されることを予め知らせる。無線中継装置１は、ＢＣＳＭＳ開始メッセージ２３１を受信することで、次のＢＣＳＭＳ領域にＢＣＳＭＳ識別メッセージ２３２が送信されることを認知し、ＢＣＳＭＳ識別メッセージ２３２の受信を待機する。ＢＣＳＭＳ識別メッセージ２３２を受信して参照用情報との照合で一致した場合、続いて送信されるＢＣＳＭＳ制御メッセージ２３３を受信してその内容に従って制御した信号を端末２５に送信する。ここで、ＢＣＳＭＳ制御メッセージ２３３は「震災発生」という理由により、チャネルオンオフ情報としての「フルチャネル」制御、すなわち全てのチャネルを利用する制御を指令を含む。よって、無線中継装置１は、事業者識別機能によって基地局から実際に送信されていたＦＡ１、ＦＡ２、ＦＡ８に加えて、ＦＡ３−ＦＡ７の中継していなかったチャネルの中継を開始する。２４は、ＢＣＳＭＳを受信する前後で無線中継装置のチャネル制御を実施した結果を示している。ＢＣＳＭＳを受信した後は、無線中継装置は基地局２２１で送信しているＦＡ１、ＦＡ２、ＦＡ８のみならず、その他基地局から送信されるＦＡ３−ＦＡ７の信号まで中継することで、基地局と端末のつながり幅を広げる。
【００２３】
図３は、実際に基地局から送信される制御情報と、当該情報を受信した無線中継装置の動作例を示した説明図である。基地局２２１により送信されたＢＣＳＭＳ制御情報２３は、制御するエリア、制御対象無線中継装置のＳ／Ｎ（ＲＰＴ  Ｓ／Ｎ）、制御対象無線中継装置の機種（ＲＰＴ  ＭＮＭＴ  Ｉｎｆｏ）及び、制御情報を送信する自局２２１のＡＰＩＤを含んでいる。基地局２２１により送信されたＢＣＳＭＳ制御情報を受信した無線中継装置１１１と１１２は、制御判定部１７の参照用情報とＢＣＳＭＳ制御情報を照合してＢＣＳＭＳ制御情報２３の対応可否を判定する。無線中継装置１１１の参照用情報は、ＢＣＳＭＳ制御情報と合致しているため、ＢＣＳＭＳ制御メッセージ２３３に従って無線中継装置を制御する。無線中継装置１１２の参照用情報は、ＢＣＳＭＳ制御情報と合致していないため、ＢＣＳＭＳ制御メッセージを廃棄して通常の動作を維持する。
図４は、表示部２１の一例を示した説明図である。表示部２１は、図２で示した、無線中継装置の制御情報に基づく制御の結果を示すものである。具体的には、通常やＢＣＳＭＳ受信前の動作においては、２１１のように受信状況などを示している。そして、無線中継装置を制御するＢＣＳＭＳ制御情報の受信後、無線中継装置の参照用情報がＢＣＳＭＳ制御情報と合致している場合、その後に受信するＢＣＳＭＳ制御メッセージ２３３に従って無線中継装置を制御し、その結果を２１２のようにディスプレイする。本例では、当該無線中継装置がキャリアによって制御されていること、理由、制御内容をディスプレイする。２１３は、２１２の拡大図である。
【符号の説明】
【００２４】
１、１１１、１１２    無線中継装置
１０、１２        送受信用アンテナ
１１、１３        ディプレクサ
１４、１５        増幅器
１６            制御情報取得部
１７            制御判定部
１８            中継装置制御部
１９、２０        制御回路部
２１、２１１、２１２、２１３              表示部
２２１            基地局
２２２            基地局Ｐａｇｉｎｇ  Ｃｈａｎｎｅｌ２３１            ＢＣＳＭＳ開始メッセージ
２３２            ＢＣＳＭＳ識別メッセージ
２３３            ＢＣＳＭＳ制御メッセージ
【図１】
2014082690.tif 000003
【図２】
2014082690.tif 000004
【図３】
2014082690.tif 000005
【図４】
2014082690.tif 000006
【図５】
2014082690.tif 000007